(57)【要約】【課題】　アドレス電極とディスプレイ電極の間の間隔を容易に調節可能で，放電に必要なアドレス電圧値の上昇を抑制でき，放電空間及び蛍光体塗布面積を効果的に増加させて，パネル品位を向上可能なプラズマディスプレイパネルを提供する。【解決手段】　プラズマディスプレイパネル１０は，前面基板１２及び背面基板１４と，前面基板１２に備えられたディスプレイ電極１６と，ディスプレイ電極１６と交差する方向に形成された第１隔壁部材２２ａと，第１隔壁部材２２ａの間にディスプレイ電極１６と平行な方向に形成された第２隔壁部材２２ｂとを含んで背面基板１４上に放電空間を区画する隔壁２２と，放電空間内側に形成された蛍光体層２８と，導電性のワイヤーからなりその各外周面に誘電体層２６が形成され，放電空間内にディスプレイ電極１６と交差する方向に設置されたアドレス電極２４とを含む。【選択図】　　図２
2004119368.tif 000002
【特許請求の範囲】
【請求項１】
前面基板及び背面基板と，
　前記前面基板に備えられたディスプレイ電極と，
　前記ディスプレイ電極と交差する方向に形成された第１隔壁部材，及び前記第１隔壁部材の間に前記ディスプレイ電極と平行な方向に形成された第２隔壁部材を含んで前記背面基板上に放電空間を区画する隔壁と，
　前記放電空間内側に形成された蛍光体層と，
　導電性のワイヤーからなってその各外周面に誘電体層がコーティングされ，前記放電空間内に前記ディスプレイ電極と交差する方向に設置されたアドレス電極と，
を含むことを特徴とするプラズマディスプレイパネル。
【請求項２】
前面基板及び背面基板と，
　前記前面基板に備えられたディスプレイ電極と，
　前記ディスプレイ電極と交差する方向に形成された第１隔壁部材，及び前記第１隔壁部材の間に前記ディスプレイ電極と平行な方向に形成された第２隔壁部材を含んで前記背面基板上に放電空間を区画する隔壁と，
　前記放電空間内側に形成された蛍光体層と，
　導電性のワイヤーからなってその各外周面に誘電体層がコーティングされ，前記第２隔壁部材上に前記ディスプレイ電極と交差する方向に配置されたアドレス電極と，
を含むことを特徴とするプラズマディスプレイパネル。
【請求項３】
前記第２隔壁部材に前記アドレス電極が挿入できるように凹溝部が形成されたことを特徴とする，請求項２に記載のプラズマディスプレイパネル。
【請求項４】
前記各々のアドレス電極の端部と対応する前記背面基板の縁部分に，前記端部を固定するために形成された固定溝をさらに含むことを特徴とする，請求項１〜３のいずれか１項に記載のプラズマディスプレイパネル。
【請求項５】
前記固定溝に装着された前記アドレス電極の端部が接着性材料によってさらに固定されていることを特徴とする，請求項４に記載のプラズマディスプレイパネル。
【請求項６】
前記第２隔壁部材の高さが前記第１隔壁部材の高さより低く形成されたことを特徴とする，請求項１〜５のいずれか１項に記載のプラズマディスプレイパネル。
【請求項７】
前記アドレス電極外周面にコーティングされた誘電体層の外周面に蛍光体層がコーティングされていることを特徴とする，請求項１〜６のいずれか１項に記載のプラズマディスプレイパネル。
【請求項８】
前記アドレス電極を構成する導電性ワイヤーが輪郭に丸みのある形状の断面を有することを特徴とする，請求項１〜７のいずれか１項に記載のプラズマディスプレイパネル。
【請求項９】
前記アドレス電極を構成する導電性ワイヤーが多角形状の断面を有することを特徴とする，請求項１〜７のいずれか１項に記載のプラズマディスプレイパネル。
【請求項１０】
前記第１隔壁部材及び第２隔壁部材を含む隔壁によって区画された放電空間が多角形状の平面を有することを特徴とする，請求項１〜９のいずれか１項に記載のプラズマディスプレイパネル。
【請求項１１】
前記第１隔壁部材及び第２隔壁部材を含む隔壁によって区画された放電空間が輪郭に丸みのある形状の平面を有する，請求項１〜９のいずれか１項に記載のプラズマディスプレイパネル。
【請求項１２】
前記第１隔壁部材及び第２隔壁部材を含む隔壁によって区画された放電空間がデルタ形の配列を有することを特徴とする，請求項１〜９のいずれか１項に記載のプラズマディスプレイパネル。
【発明の詳細な説明】
【技術分野】
【０００１】
　本発明は，プラズマディスプレイパネルに関するものである。
【背景技術】
【０００２】
　一般に，プラズマディスプレイパネルは，プラズマ放電による発光またはプラズマ放電によって励起された蛍光体によって画像を形成する装置であって，前面及び背面基板に備えられた電極に所定の電圧を印加して，隔壁によって形成された放電空間でプラズマ放電が起こるようにし，放電時に発生する紫外線によって所定のパターンに形成された蛍光体層を励起して画像を形成する。
【０００３】
　このようなプラズマディスプレイパネルは，放電セルに印加する駆動電圧の形式，例えば，放電形式によって直流形と交流形とに分類され，電極の構成形態によって対向放電形及び面放電形に区分される。この中で面放電形プラズマディスプレイパネルは，通常，前面及び背面の両基板を備える。
【０００４】
　この背面基板には所定のパターンでアドレス電極が形成され，アドレス電極上には誘電体層が形成され，誘電体層上には，放電空間を確保しセル間の電気的光学的クロストークを防止する隔壁が形成される。
【０００５】
　そして，隔壁が形成された背面基板と結合される前面基板の下面には，アドレス電極と直交するように所定パターンのディスプレイ電極が備えられる。ディスプレイ電極は透明な電極からなり，その上面には透明電極の長手方向の抵抗を減らすためのバス電極が透明電極より狭い幅の高電導性材料で形成される。前面基板の更に下側には，ディスプレイ電極及びバス電極を覆う誘電体層が形成され，隔壁によって区画された放電空間内の少なくとも一つの面には蛍光体層が形成される。
【０００６】
　このような構成のプラズマディスプレイパネルにおいて隔壁は，放電空間を確保し，各放電セル間のクロストークを防止し，前面及び背面基板の封着時に外圧から放電空間を維持するなどの作用をするものであり，隔壁の高さを増加させれば放電空間及び蛍光体塗布面積が増加して，輝度増加，放電の安定化などパネル品位を高めることができる。しかし，従来のストライプ形隔壁構造（アドレス電極と並んだ方向に隔壁が備えられた構造）では，アドレス電極とディスプレイ電極の間の間隔が大きくなって，放電に必要なアドレス電圧値が上昇するため，隔壁の高さを一定の高さ以上にできないという問題点がある。
【０００７】
　これを解決するため，本出願人の先出願である下記特許文献１では，高電導性ワイヤー電極を備えることによって駆動時の消費電力を低くできるプラズマディスプレイパネルを開示しており，これを図１を参照して説明する。
【０００８】
　図示のように，本出願人の先出願によるプラズマディスプレイパネル１００は，前面基板１０２と背面基板１０４を備え，前面基板１０２の下面には，帯状の共通電極１０６ａと走査電極１０６ｂとが交互に配置されたディスプレイ電極１０６と，ディスプレイ電極１０６を覆う誘電体層１０８と，誘電体層１０８を覆う酸化マグネシウム膜などの保護膜１１０とが備えられている。
【０００９】
　そして，背面基板１０４には，前面と背面基板の間に放電空間を形成し，放電発生時に放電セル間のクロストークを防止するストライプ形の隔壁１１２と，放電ガスによって発光する赤，緑，青色の蛍光体層１１４とが備えられ，蛍光体層１１４の上面には，電気信号伝達の機能を有する導電性素材のワイヤー，例えば，アルミニウム，銅，金，白金などの金属性素材のアドレス電極１１６が前面基板１０２のディスプレイ電極１０６と直交するように設置され，アドレス電極１１６の外周面には誘電体層１１８がコーティングされている。
【００１０】
　このような構成のプラズマディスプレイパネルは，アドレス電極１１６が蛍光体層１１４の上側に設置されるので，従来のようにアドレス電極を誘電体層で覆ったパネルに比べてアドレス電極１１６とディスプレイ電極１０６の間の間隔を減らすことができる。したがって，アドレス電極１１６，ディスプレイ電極１０６間の間隔が減った分だけ駆動時に消費電力を減らすことができるだけでなく，隔壁１１２をさらに高く形成することができるので放電空間及び蛍光体塗布面積が増加して，輝度増加，放電の安定化などパネル品位を高める効果がある。
【００１１】
　しかしながら，アドレス電極１１６とディスプレイ電極１０６の間の間隔を容易に調節可能なプラズマディスプレイパネルが要望されていた。また，前記先出願特許の構成は，パネル外部に引き出されたワイヤー形態のアドレス電極１１６端子が前面基板１０２，背面基板１０４を封着する封着材によってのみ固定される構造であり，封着材を用いて封着する際，パネル外部に引き出されたアドレス電極１１６端子間の距離が一定に維持されなかった。
【００１２】
【特許文献１】米国特許第６，４９５，９５８号明細書
【発明の開示】
【発明が解決しようとする課題】
【００１３】
　そこで，本発明は，このような問題に鑑みてなされたもので，その目的とするところは，アドレス電極とディスプレイ電極の間の間隔を容易に調節可能で，放電に必要なアドレス電圧値の上昇を抑制でき，放電空間及び蛍光体塗布面積を効果的に増加させて，パネル品位を向上可能なプラズマディスプレイパネルを提供することにある。
【課題を解決するための手段】
【００１４】
　上記課題を解決するために，本発明のある観点によれば，前面基板及び背面基板と，前面基板に備えられたディスプレイ電極と，ディスプレイ電極と交差する方向に形成された第１隔壁部材，及び第１隔壁部材の間にディスプレイ電極と平行な方向に形成された第２隔壁部材を含んで背面基板上に放電空間を区画する隔壁と，放電空間内側に形成された蛍光体層と，導電性のワイヤーからなってその各外周面に誘電体層がコーティングされ，放電空間内にディスプレイ電極と交差する方向に設置されたアドレス電極と，を含むことを特徴とするプラズマディスプレイパネルが提供される。かかる構成によれば，第１隔壁部材及び第２隔壁部材の高さを適宜設定することにより，放電空間及び蛍光体塗布面積を効果的に増加させることができ，パネル品位を向上できる。この際に，例えば，アドレス電極を第２隔壁部材上に配置するようにすれば，アドレス電極とディスプレイ電極の間の間隔を容易に調節することができ，放電に必要なアドレス電圧値を上昇を抑制できる。
【００１５】
　上記課題を解決するために，本発明の別の観点によれば，前面基板及び背面基板と，前面基板に備えられたディスプレイ電極と，ディスプレイ電極と交差する方向に形成された第１隔壁部材，及び第１隔壁部材の間にディスプレイ電極と平行な方向に形成された第２隔壁部材を含んで背面基板上に放電空間を区画する隔壁と，放電空間内側に形成された蛍光体層と，導電性のワイヤーからなってその各外周面に誘電体層がコーティングされ，第２隔壁部材上にディスプレイ電極と交差する方向に配置されたアドレス電極と，を含むことを特徴とするプラズマディスプレイパネルが提供される。かかる構成によれば，導電性ワイヤーからなるアドレス電極の高さを第２隔壁部材によって容易に調節することができ，ひいてはアドレス電極とディスプレイ電極間の距離を容易に調節することができ，放電に必要なアドレス電圧値を上昇を抑制できる。また，第１隔壁部材の高さを高くして放電空間及び蛍光体塗布面積を拡大できる。結果として，放電空間拡大による放電品位向上と蛍光体塗布面積拡大による輝度向上が可能となる。その際に，第２隔壁部材にアドレス電極が挿入できるように凹溝部が形成されているよう構成してもよい。
【００１６】
　上記構成においてさらに，各々のアドレス電極の端部と対応する背面基板の縁部分に，アドレス電極の端部を固定するための固定溝を形成することができ，アドレス電極の端部がさらに堅固に固定できるように，接着テープまたは接着ペーストのような接着性材料を用いることができる。
【００１７】
　また，上記構成において，第２隔壁部材の高さが前記第１隔壁部材の高さより低く形成することが好ましく，この場合には放電ガスの排気を円滑に行うことができる。
【００１８】
　上記構成において，前記アドレス電極外周面にコーティングされた誘電体層の外周面に蛍光体層をさらに形成することができ，これによって放電空間内側に形成される蛍光体層が拡張される効果を得ることができる。
【００１９】
　上記アドレス電極を構成する導電性ワイヤーは，輪郭に丸みのある形状の断面を有したり，多角形状の断面を有することができる。
【００２０】
　上記第１隔壁部材及び第２隔壁部材を含む隔壁によって区画される放電空間は，四角形または六角形の断面を基板と平行に有することができ，四角及び六角以外の多角形状や，輪郭に丸みのある形状の断面を有する放電空間も可能である。
【００２１】
　また，上記第１隔壁部材及び第２隔壁部材を含む隔壁によって区画される放電空間の集合形態は，いわゆるデルタ形に配列することができる。
【発明の効果】
【００２２】
　本発明によるプラズマディスプレイパネルによれば，アドレス電極とディスプレイ電極の間の間隔を容易に調節可能であり，放電に必要なアドレス電圧値を上昇させずに隔壁の高さを増加させて放電空間を効果的に拡張させることができる。これらのことから，放電に必要なアドレス電圧値の上昇を抑制でき，アドレス時間を減らすことができ，放電空間拡大による放電品位向上と蛍光体塗布面積拡大による輝度向上が可能となる。
【発明を実施するための最良の形態】
【００２３】
　以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２４】
　図２は，本発明の第１の実施の形態によるプラズマディスプレイパネルの分解斜視図である。
【００２５】
　図示のように，本実施の形態のプラズマディスプレイパネル１０は，ガラス製の前面基板１２及び背面基板１４を備える。前面基板１２の下面には，共通電極１６ａと走査電極１６ｂとが交互に形成されたディスプレイ電極１６がストライプ状に設置され，両電極１６ａ，１６ｂ下面には金属材質のバス電極１６ｃが各々設置される。ディスプレイ電極１６は誘電体層１８によって覆われており，誘電体層１８の下面には，誘電体層１８を保護してプラズマディスプレイパネル１０の寿命を長くし，２次電子放出を利用した駆動電圧降下及び効率向上を目的とする保護膜２０，例えば，酸化マグネシウム膜が形成される。
【００２６】
　そして，背面基板１４の上面には，前面及び背面基板の間に放電空間を形成し，放電発生時に放電セル間のクロストークを防止する作用を有する隔壁２２が設置される。本実施の形態では隔壁２２は，ディスプレイ電極１６と交差する方向（図面のＹ方向）に長く形成される第１隔壁部材２２ａと，この第１隔壁部材２２ａの間にディスプレイ電極１６と平行な方向（図面のＸ方向）に長く形成される第２隔壁部材２２ｂとを含んで，いわゆる閉鎖形構造になっており，この隔壁部材によって前記背面基板１４上の放電空間が区画される。
【００２７】
　このような構成を有する隔壁２２において，図３に示すように，第２隔壁部材２２ｂの高さｔ２は第１隔壁部材２２ａの高さｔ１より低く形成される。これは放電空間内で発生する放電ガスの排気を円滑にし，第２隔壁部材２２ｂ上にアドレス電極２４が容易に設置されるようにするためである。アドレス電極２４は，放電空間内，特にここでは第２隔壁部材２２ｂ上に，にディスプレイ電極１６と交差する方向に設置されている。
【００２８】
　アドレス電極２４は，電気信号伝達の機能を有する導電性素材，例えば，アルミニウム，銅，金，白金などの金属性素材のワイヤー，またはこのような金属性素材がコーティングされるワイヤーで製造され，このようなアドレス電極２４の外周面には誘電体層２６がコーティングされている。
【００２９】
　ここで，アドレス電極２４を構成する導電性ワイヤーは円形または楕円形に近い輪郭に丸みのある形状の断面を有するが，これに限定されず，導電性ワイヤーは，四角形，五角形などの多角形状の断面を有することができる。
【００３０】
　第１隔壁部材２２ａ及び第２隔壁部材２２ｂによって区画され，互いに近接する３個の放電空間の内側には，各々，赤，緑，青色の蛍光体層２８が所定の厚さで塗布される。
【００３１】
　一方，背面基板１４の縁には固定溝３０が形成される。このような固定溝３０は，各アドレス電極２４の端部に近接する背面基板１４の縁の部分にこの端部を固定するために形成される。つまり，固定溝３０は，アドレス電極２４を背面基板１４に設置した状態で両基板，つまり前面基板１２と背面基板１４とを組立てる際，アドレス電極２４の整列状態が崩れることを防止するためのものであり，固定溝３０にはアドレス電極２４の端部が内側へ挿入される。
【００３２】
　固定溝３０は，背面基板１４にサンドブラスト法またはエッチング法などを用いて形成することができる。また，高温型押しをしてもよく，この方法ならば傾斜面も容易に作ることができるる。
【００３３】
　そして，固定溝３０には，アドレス電極２４の端子をより強固に固定できるように，接着テープまたは接着ペーストなどの接着性材料３２を利用できる。
【００３４】
　このように構成される本実施の形態によるプラズマディスプレイパネル１０によれば，閉鎖形隔壁構造を有すると同時に，ワイヤー形態のアドレス電極２４を採択して第２隔壁部材２２ｂの高さｔ２を調節することにより，アドレス電極２４の高さ（結果的にアドレス電極２４とディスプレイ電極１６間の距離）を容易に調節することができる。したがって，第１隔壁部材２２ａの高さｔ１を高くして放電空間及び蛍光体塗布面積を増加させながらも，アドレス電極２４とディスプレイ電極１６間の距離を近くすることによって，印加されるアドレス放電電圧を低くし，アドレス時間を減らすことができる。
【００３５】
　また，ワイヤー形態のアドレス電極２４端子を固定する固定溝３０が備えられているので，前面基板１２及び背面基板１４の組立時に電極２４端子間の整列状態が崩れる恐れがなく，これによる電極２４の短絡及びショット不良を最小化することができる。
【００３６】
　図４及び図５は図３の変形例を示したものであり，図４に示されたプラズマディスプレイパネルは，第１隔壁部材２２ａの内側面だけでなく，第２隔壁部材２２ｂの内側面を含む放電空間の全体に蛍光体層２８が塗布され，外周面に誘電体層２６がコーティングされた導電性ワイヤーからなるアドレス電極２４が第１隔壁部材２２ａ上に設置されたものである。
【００３７】
　また，図５に示されたプラズマディスプレイパネルは，外周面に誘電体層２６がコーティングされたワイヤーの外周面に再び蛍光体層２８がコーティングされたアドレス電極２４が備えられる。つまり，導電性ワイヤーの外周面に誘電体層２６と蛍光体層２８とが順次にコーティングされることであり，この時コーティングされる蛍光体層２８は，アドレス電極２４が設置される放電空間内に形成された蛍光体層２８と同一色の蛍光体層が形成されることが好ましい。このような構成のプラズマディスプレイパネルは，蛍光体層２８が第１隔壁部材２２ａ及び第２隔壁部材２２ｂとアドレス電極２４に各々コーティングされているので，蛍光体塗布面積をさらに拡張できるという効果がある。
【００３８】
　図６は本発明の第２の実施の形態による背面基板を示したものであって，図面の簡略化のために蛍光体層が塗布される前の状態を示した。
【００３９】
　本実施の形態の隔壁２２’は，第１隔壁部材２２’ａと第２隔壁部材２２’ｂの高さを同一に形成しながら，第２隔壁部材２２’ｂ上にはアドレス電極２４が挿入できる凹溝部２２’ｂ’を形成したものであり，他の構成は図３の実施の形態と同様である。
【００４０】
　そして図７は，本発明の第３の実施の形態による背面基板を示したものであり，第２隔壁部材２２”ｂの高さを第１隔壁部材２２”ａの高さより低く形成しながら，第２隔壁部材２２”ｂ上に凹溝部２２”ｂ’を形成したものであり，他の構成は図３及び図４の実施の形態と同様である。
【００４１】
　以上の実施の形態によって本発明を実施するにおいて，上記隔壁は，隔壁ペーストを一定の高さでコーティングした後，ＤＦＲ（Ｄｒｙ　Ｆｉｌｍ　Ｒｅｇｉｓｔｒａｔｉｏｎ）を積層し，これを露光及び現像した後，サンドブラスト工程を行うことによって形成することができる。この時，第１及び第２隔壁部材のＤＦＲ線幅を異なるようにしたり，第１隔壁部材が形成される位置に隔壁ペーストをパターン印刷して前記第１隔壁部材の高さを増加させる方法により，第１及び第２隔壁部材の高さを異なるように形成することができる。一方，上記隔壁はガラス基板を切削して製造することもでき，隔壁ペーストをモールド形態で印刷して製造することもできる。また，基板と隔壁を一体として，鋳型または押し型で作ることも可能である。
【００４２】
　上記実施の形態では放電空間の平面が四角形状を有するプラズマディスプレイパネルを例に挙げて説明したが，本発明は，ワイヤー形態のアドレス電極と，このようなアドレス電極に交差しながら配置できる隔壁部材とを含むプラズマディスプレイパネルであれば，隔壁によって形成される放電空間の形状に特別の制限はない。
【００４３】
　つまり，本発明は，図８に示されたような六角形状の放電空間からなるプラズマディスプレイパネルだけでなく，図９に示されているように放電空間がデルタ形配列構造を有するプラズマディスプレイパネルにも適用が可能であり，四角及び六角形以外の多角形状または輪郭に丸みのある形状を有する放電空間の集合として形成することもできる。
【００４４】
　図８では，ジグザグ形状の第１隔壁部材４２ａとこれらを連結する第２隔壁部材４２ｂが形成され，第２隔壁部材４２ｂを横切って配置されるように，ワイヤー状のアドレス電極２４が設置される。
【００４５】
　図９では，ストライプ形状の第１隔壁部材５２ａとこれらを連結しながら長さ方向（図面のＸ方向）に隣接するものと互いに交差するように配列される第２隔壁部材５２ｂが形成され，前記第２隔壁部材５２ｂを横切って配置されるように，ワイヤー状のアドレス電極２４が設置される。
【００４６】
　以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００４７】
　本発明は，プラズマディスプレイパネルにに適用可能であり，例えば，隔壁部材によって放電空間が区画されたプラズマディスプレイパネルに適用可能である。
【図面の簡単な説明】
【００４８】
【図１】従来技術によるプラズマディスプレイパネルの分解斜視図である。
【図２】本発明の第１の実施の形態によるプラズマディスプレイパネルの分解斜視図である。
【図３】図２に示したプラズマディスプレイパネルの背面基板をＹ軸方向から眺めた断面図である。
【図４】本発明の第１の実施の形態の変形例を示す断面図である。
【図５】本発明の第１の実施の形態の変形例を示す断面図である。
【図６】本発明の第２の実施の形態による背面基板をＹ軸方向から眺めた断面図である。
【図７】本発明の第３の実施の形態による背面基板をＹ軸方向から眺めた断面図である。
【図８】本発明の他の実施の形態による放電空間が六角形平面を有する背面基板を示した平面図である。
【図９】本発明の他の実施の形態による放電空間がデルタ形配列構造を有する背面基板を示した平面図である。
【符号の説明】
【００４９】
１０，１００　　　プラズマディスプレイパネル
１２，１０２　　　前面基板
１４，１０４　　　背面基板
１６，１０６　　　ディスプレイ電極
１６ａ，１０６ａ　　　共通電極
１６ｂ，１０６ｂ　　　走査電極
１６ｃ　　　バス電極
１８，２６，１０８，１１８　　　誘電体層
２０，１１０　　　保護膜
２２，１１２　　　隔壁
２２ａ　　　第１隔壁部材
２２ｂ　　　第２隔壁部材
２４，１１６　　　アドレス電極
２８，１１４　　　蛍光体層
３０　　　固定溝
３２　　　接着性材料
【図１】
2004119368.tif 000003
【図２】
2004119368.tif 000004
【図３】
2004119368.tif 000005
【図４】
2004119368.tif 000006
【図５】
2004119368.tif 000007
【図６】
2004119368.tif 000008
【図７】
2004119368.tif 000009
【図８】
2004119368.tif 000010
【図９】
2004119368.tif 000011